(57)【特許請求の範囲】
【請求項１】
キャッシャによって操作される複数台の金銭登録装置と各キャッシャの出退勤を管理する出退勤管理装置とを通信可能に接続し、
各キャッシャ別に出勤状況を識別する出勤フラグと稼働状況を識別する稼働フラグとを記憶したキャッシャファイルと、
前記出退勤管理装置から１キャッシャの出勤情報を受信すると前記キャッシャファイルにおける該当キャッシャの出勤フラグを出勤状態にセットし、同装置から１キャッシャの退勤情報を受信すると前記キャッシャファイルにおける該当キャッシャの出勤フラグを退勤状態にセットする出勤フラグ制御手段と、
前記各金銭登録装置から１キャッシャの稼働開始情報を受信すると前記キャッシャファイルにおける該当キャッシャの稼働フラグを稼働状態にセットし、同装置から１キャッシャの稼働終了情報を受信すると前記キャッシャファイルにおける該当キャッシャの稼働フラグを非稼働状態にセットする稼働フラグ制御手段と、
外部よりキャッシャの稼働状況問合わせ要求があると前記キャッシャファイルを検索して出勤フラグが出勤状態でかつ稼働フラグが非稼働状態のキャッシャを検出する稼働可キャッシャ検索手段と、
この検索により検出したキャッシャのリストを出力するリスト出力手段と、
を具備したことを特徴とするキャッシャ管理装置。
【請求項２】
請求項１記載のキャッシャ管理装置において、
キャッシャファイルは、各キャッシャ毎に休憩時間を予め設定記憶するようにし、
ファイル検索手段は、外部よりキャッシャの稼働状況問合わせ要求があると前記キャッシャファイルを検索して出勤フラグが出勤状態でかつ稼働フラグが非稼働状態のキャッシャで尚かつ現時刻が休憩時間でないキャッシャを検出するようにしたことを特徴とするキャッシャ管理装置。
【発明の詳細な説明】
【０００１】
【発明の属する技術分野】
本発明は、売場に設置されているＰＯＳ（Point Of Sales）ターミナルなどの金銭登録装置を操作して客買上商品の売上登録業務を処理する各キャッシャの稼働状況を確認可能にしたキャッシャ管理装置に関する。
【０００２】
【従来の技術】
例えばスーパーマーケットや百貨店の食品売場のように複数台の金銭登録装置を備えた売場においては、混雑度の予測データ等をもとに曜日や時間帯によって金銭登録装置の稼働台数が予め設定されており、その稼働台数に合わせて各キャッシャの業務スケジュールが決められていた。
【０００３】
ただし、必ずしも設定した台数が日々適正な台数であるとは限らず、ときには、客の入りが予測より多くて会計場所での客の待ち時間が長くなり、サービス性を低下させることがあった。
そこで、このようなときには、売場の管理責任者が各キャッシャの業務スケジュール表などを見て空いているキャッシャを探し出し、そのキャッシャにより１乃至数台の金銭登録装置を新たに稼働させることによって対処していた。
【０００４】
ところで、金銭登録装置として複数台のＰＯＳターミナルを使用するとともに各ＰＯＳターミナルのデータを集中管理するためのファイルプロセッサを設置し、各ＰＯＳターミナルとファイルプロセッサとを伝送路で接続してなるＰＯＳシステムにおいては、各ＰＯＳターミナルはそれぞれキャッシャのサインオン操作により稼働を開始し、サインオフ操作により稼働を終了するものとなっている。そこで従来、ファイルプロセッサに各キャッシャ別に稼働状況（ＰＯＳターミナルを操作して客買上商品の売上登録業務を実行中か否か）を示す情報を記憶するファイルを設け、ＰＯＳターミナルからサインオン操作されたことを示すデータ（稼働開始情報）を受信するとそのサインオン操作したキャッシャの稼働状況を業務実行中とし、サインオフ操作されたことを示すデータ（稼働終了情報）を受信するとそのサインオフ操作したキャッシャの稼働状況を業務待機中とするようにしたキャッシャ管理機能を有したものが知られていた。
このようなキャッシャ管理機能を有することにより、ファイル内容を確認することで各キャッシャの稼働状況を容易に把握できるようになる。
【０００５】
【発明が解決しようとする課題】
しかしながら、従来のＰＯＳシステムが有していたキャッシャ管理機能は、その時点でＰＯＳターミナルを操作して客買上商品の売上登録業務を実行しているキャッシャ以外のキャッシャは全て業務待機中となるため、出勤していないキャッシャも業務待機中として判断されていた。このため、売場管理責任者がファイルの内容から業務待機中のキャッシャを見つけても、そのキャッシャが出勤しているか否かまではすぐには確認できなかった。
また通常、各キャッシャには昼休みなどの休憩時間が交替で割り当てられている。このため、業務待機中のキャッシャを見つけても、そのキャッシャが休憩中なのか否かまではすぐには確認できなかった。
【０００６】
そこで本発明は、出勤しているキャッシャの中で現在稼働していないキャッシャのリストを自動的に作成して出力でき、キャッシャの補充を迅速かつ的確に行い得るキャッシャ管理装置を提供しようとするものである。
また本発明は、出勤しているキャッシャの中で現在稼働しておらず尚かつ休憩中でないキャッシャのリストを自動的に作成して出力でき、キャッシャの補充を迅速かつより的確に行い得るキャッシャ管理装置を提供しようとするものである。
【０００７】
【課題を解決するための手段】
本願請求項１記載の発明は、キャッシャによって操作される複数台の金銭登録装置と各キャッシャの出退勤を管理する出退勤管理装置とを通信可能に接続したキャッシャ管理装置であって、各キャッシャ別に出勤状況を識別する出勤フラグと稼働状況を識別する稼働フラグとを記憶したキャッシャファイルと、出退勤管理装置から１キャッシャの出勤情報を受信するとキャッシャファイルにおける該当キャッシャの出勤フラグを出勤状態にセットし、同装置から１キャッシャの退勤情報を受信するとキャッシャファイルにおける該当キャッシャの出勤フラグを退勤状態にセットする出勤フラグ制御手段と、各金銭登録装置から１キャッシャの稼働開始情報を受信するとキャッシャファイルにおける該当キャッシャの稼働フラグを稼働状態にセットし、同装置から１キャッシャの稼働終了情報を受信するとキャッシャファイルにおける該当キャッシャの稼働フラグを非稼働状態にセットする稼働フラグ制御手段と、外部よりキャッシャの稼働状況問合わせ要求があるとキャッシャファイルを検索して出勤フラグが出勤状態でかつ稼働フラグが非稼働状態のキャッシャを検出する稼働可キャッシャ検索手段と、この検索により検出したキャッシャのリストを出力するリスト出力手段とを備えたことによって、出勤しているキャッシャの中で現在稼働していないキャッシャのリストを自動的に作成し出力するようにしたものである。
【０００８】
本願請求項２記載の発明は、請求項１記載のキャッシャ管理装置において、キャッシャファイルを、各キャッシャ毎に休憩時間を予め設定記憶するようにする。また、ファイル検索手段を、外部よりキャッシャの稼働状況問合わせ要求があるとキャッシャファイルを検索して出勤フラグが出勤状態でかつ稼働フラグが非稼働状態のキャッシャで尚かつ現時刻が休憩時間でないキャッシャを検出するように構成したことによって、出勤しているキャッシャの中で現在稼働しておらず尚かつ休憩中でないキャッシャのリストを自動的に作成して出力するようにしたものである。
【０００９】
【発明の実施の形態】
以下、本発明の一実施の形態を図面を用いて説明する。
なお、この実施の形態では、ＰＯＳシステムのファイルプロセッサを本発明のキャッシャ管理装置として機能させる場合について説明する。
【００１０】
図１はＰＯＳシステムの全体図であり、このＰＯＳシステムは、マスター機に設定された１台のＰＯＳターミナル１Ｍと、サテライト機に設定された複数台のＰＯＳターミナル１Ｓと、各ＰＯＳターミナル１Ｍ，１Ｓのデータを集中管理するファイルプロセッサ２とを、伝送路３で閉ループ状に接続して構築したものである。
また、各キャッシャの出退勤を管理する出退勤管理装置４を、前記伝送路３を介してファイルプロセッサ２に接続している。
【００１１】
この出退勤管理装置４は、各キャッシャがそれぞれ所有するＩＤカードのデータを読取るカードリーダ４ａを有する。そして、出勤モードにおいて上記カードリーダ４ａによりＩＤカードのデータを読取ると、そのカードデータ中のＩＤコード（キャッシャ番号）のキャッシャが出勤したものと判断して出勤時刻をキャッシャ別に記憶する。また、退勤モードにおいて上記カードリーダ４ａによりＩＤカードのデータを読取ると、そのカードデータ中のＩＤコード（キャッシャ番号）のキャッシャが退勤したものと判断して退勤時刻をキャッシャ別に記憶する。こうして、各キャッシャの日々の出勤状況や勤務時間等を管理するようにしたものである。
このものにおいて、本実施の形態においては、出勤モードにおいて上記カードリーダ４ａによりＩＤカードのデータを読取ると、図８（ａ）に示すように、そのカードデータ中のＩＤコード（キャッシャ番号）及び出勤時刻を含む出勤情報伝文を作成し、この出勤情報伝文を前記伝送路３を介してファイルプロセッサ２に送信するものとなっている。また、退勤モードにおいて上記カードリーダ４ａによりＩＤカードのデータを読取ると、図８（ｂ）に示すように、そのカードデータ中のＩＤコード（キャッシャ番号）及び退勤時刻を含む退勤情報伝文を作成し、この退勤情報伝文を前記伝送路３を介してファイルプロセッサ２に送信するものとなっている。なお、出勤情報伝文及び退勤情報伝文の項目「ＴＭ番号」は、出退勤管理装置４に対して予め設定された伝送路３上のネットワークアドレスである。
【００１２】
ファイルプロセッサ２は、特に図２に示すように、各キャッシャにそれぞれ設定された固有のキャッシャ番号に対応して、そのキャッシャの氏名，出勤フラグ，稼働フラグ，休憩開始時刻及び休憩終了時刻の各データを一連のファイルアドレス順に記憶したキャッシャファイル５を有している。ここで、出勤フラグは、対応するキャッシャが出勤状態にあるとき“１”にセットされ、退勤状態にあるとき“０”にリセットされるものとする。また、稼働フラグは、対応するキャッシャが稼働状態（ＰＯＳターミナル１Ｍ，１Ｓを操作して客買上商品の売上登録業務を実行している状態）にあるとき“１”にセットされ、非稼働状態にあるとき“０”にリセットされるものとする。また、休憩開始時刻及び休憩終了時刻は、対応するキャッシャに対して予め設定された休憩時間の開始時刻及び終了時刻であって、その時間は１パターンに限らず複数パターンを設定してもよい。
【００１３】
図３はファイルプロセッサ２の要部構成を示すブロック図であって、このファイルプロセッサ２は、制御部本体としてＣＰＵ（Central Processing Unit ）２１を搭載している。また、このＣＰＵ２１の動作を制御するプログラムなどの固定的データを予め格納したＲＯＭ（Read Only Memoly）２２、稼働可キャッシャテーブル２３ａ，アドレスカウンタＡ，人数カウンタＢなどの各種メモリエリアを形成してなるＲＡＭ（Random Access Memoly）２３、日付及び時刻を計時する時計部２４、前記伝送路３を介して接続された各ＰＯＳターミナル１Ｍ，１Ｓ及び出退勤管理装置４とのデータ伝送を制御する伝送コントローラ２５、前記キャッシャファイル５を記憶するＨＤＤ（Hard Disc Drive ）装置２６の駆動を制御するＨＤＤコントローラ２７，ＦＤＤ（Floppy Disk Drive ）装置２８の駆動を制御するＦＤＤコントローラ２９等を搭載している。そして、前記ＣＰＵ２１と、ＲＯＭ２２，ＲＡＭ２３，時計部２４，伝送コントローラ２５，ＨＤＤコントローラ２７、ＦＤＤコントローラ２９等とを、アドレスバス，データバス等のバスライン２１０で接続している。
【００１４】
各ＰＯＳターミナル１Ｍ，１Ｓは、金銭登録装置を構成するもので、登録された各商品の販売データを売上メモリに登録処理して該ＰＯＳターミナルでの商品売上を管理する登録業務、この登録業務によって管理される商品売上データを閉店後に出力した後、売上メモリをクリアして１日の売上データを取得する精算業務、前記登録業務で必要なデータを予めメモリに設定する設定業務などを選択的に実行するものとなっている。また、マスター機に設定された１台のＰＯＳターミナル１Ｍは、上記各業務に加えて、前記ファイルプロセッサ２にて記憶管理される各種データファイルにデータを設定したり各種データファイルのデータを出力したりするマスター業務を実行可能となっている。
【００１５】
図４は各ＰＯＳターミナル１Ｍ，１Ｓの要部構成を示すブロック図であって、各ＰＯＳターミナル１Ｍ，１Ｓは、いずれも制御部本体としてＣＰＵ１１を搭載している。また、このＣＰＵ１１の動作を制御するプログラムなどの固定的データを予め格納したＲＯＭ１２、売上メモリなどの各種メモリエリアを形成してなるＲＡＭ１３、日付及び時刻を計時する時計部１４、前記伝送路３を介して接続された各サテライトターミナル１Ｓ及びファイルプロセッサ２とのデータ伝送を制御する伝送コントローラ１５、モードスイッチ１６からの信号を入力するとともに、ドロワ（不図示）を自動開放させるドロワ開放装置１７に駆動信号を出力するＩ／Ｏポート１８、キーボード１９からのキー信号を取込むキーボードインタフェース１１０、スキャナ１１１にて光学的に読取られたバーコードデータを取込むスキャナインタフェース１１２、オペレータ用表示器１１３及び客用表示器１１４の駆動を制御して表示データに対応する画面を表示させる表示コントローラ１１５、プリンタ１１６の駆動を制御してレシート印字を行わせるプリンタコントローラ１１７などを搭載している。そして、前記ＣＰＵ１１と、ＲＯＭ１２，ＲＡＭ１３，時計部１４，伝送コントローラ１５，Ｉ／Ｏポート１８，キーボードインタフェース１１０，スキャナインタフェース１１２，表示コントローラ１１４，プリンタコントローラ１１７等とを、アドレスバス，データバス等のバスライン１１８で接続している。
【００１６】
モードスイッチ１６は、前記登録，精算，設定，マスター等の各種業務を選択しその実行をＣＰＵ１に指令するスイッチであって、鍵にて切り換え操作される。なお、鍵には少なくとも２種類あり、通常のキャッシャが所有する鍵では登録業務しか選択できないが、売場管理責任者（マネージャ）が所有する鍵では設定，登録，精算及びマスターの各種業務を選択できる。
【００１７】
キーボード１９は、数値データを置数するための置数キー、数値データのクリアやエラー状態の解除を指令するためのクリアキー、締め登録を宣言する締めキーの他、キャッシャがサインオン宣言するサインオンキーＫ１、キャッシャがサインオフ宣言するサインオフキーＫ２、キャッシャの稼働状況をファイルプロセッサ２に問合せるキャッシャ稼働キーＫ３等を配設したＰＯＳターミナル専用のキーボードである。
【００１８】
しかして、各ＰＯＳターミナル１Ｍ，１ＳのＣＰＵ１１は、モードスイッチ１６により登録業務が選択された状態で、置数キーによりキャッシャ番号が置数されるとともにサインオンキーＫ１が入力されると、置数されたキャッシャ番号のキャッシャによるサインオン宣言がなされたので、登録業務の実行を許諾するとともに、図８（ｃ）に示すように、その置数されたキャッシャ番号及びサインオン時刻を含むサインオン情報伝文を作成し、このサインオン情報伝文を稼働開始情報として前記伝送路３を介してファイルプロセッサ２に送信するものとなっている。
【００１９】
またその後、サインオフキーＫ２が入力されると、前回サインオン宣言をしたキャッシャのサインオフ宣言がなされたので、登録業務の実行を停止するとともに、図８（ｄ）に示すように、そのキャッシャのキャッシャ番号及びサインオフ時刻を含むサインオフ情報伝文を作成し、このサインオフ情報伝文を稼働終了情報として前記伝送路３を介してファイルプロセッサ２に送信するものとなっている。
なお、サインオン情報伝文及びサインオフ情報伝文の項目「ＴＭ番号」は、各ＰＯＳターミナル１Ｍ，１Ｓに対して予め設定された伝送路３上のネットワークアドレスである。
【００２０】
一方、マスター機に設定されたＰＯＳターミナル１ＭのＣＰＵ１１は、、モードスイッチ１６によりマスター業務が選択された状態で、キャッシャ稼働キーＫ３が入力されると、図５の流れ図に示す処理を実行するものとなっている。
すなわち、ＣＰＵ１１は、キーボードインタフェース１１０を介してキャッシャ稼働キーＫ３のキー信号を入力するとこの処理を開始し、先ず、ＳＴ（ステップ）１としてモードスイッチ１６によりマスター業務が選択されているか否かを判断する。ここで、マスター業務以外の業務モードが選択されている場合には、キャッシャ稼働キーＫ３の入力をエラーとして無視する。
【００２１】
ＳＴ１にてマスター業務が選択されていた場合には、ＳＴ２として図８（ｅ）に示すように、予め当該ＰＯＳターミナル１Ｍに設定されているＴＭ番号と時計部１４から読出した現時刻（問合わせ時刻）とでキャッシャ稼働状態の問合わせ伝文を作成する。そして、この問合わせ伝文を前記伝送路３を介してファイルプロセッサ２に送信する。その後、ファイルプロセッサ２からの応答伝文を待機する。
【００２２】
ここで、所定時間内に図８（ｆ）に示すフォーマットの応答伝文を受信したならば（ＳＴ３のＹＥＳ）、ＳＴ４としてその受信した応答伝文中の稼働可人数データをチェックする。その結果、稼働可人数データが［０］より大きい場合には（ＳＴ５のＹＥＳ）、ＳＴ６としてその受信伝文中のキャッシャ番号（Ｎｏ）とキャッシャ氏名のデータで稼働可キャッシャリストの印字データを編集する。そして、この印字データをプリンタ１１６に出力して、図９に示すような稼働可キャッシャリスト６をプリントアウトする。以上で、この処理を終了する。
【００２３】
これに対し、稼働可人数データが［０］の場合には（ＳＴ５のＮＯ）、ＳＴ７としてオペレータ用表示器１１３に稼働可キャッシャがいないことを示すメッセージを表示させる。その後、ＳＴ９としてクリアキーが入力されたならば、ＳＴ１０として上記メッセージを消去して、この処理を終了する。
【００２４】
なお、ＳＴ２にて問合わせ伝文をファイルプロセッサ２に送信したが、所定時間経過しても応答伝文を受信できなかった場合には（ＳＴ１０のＹＥＳ）、伝送路３の障害またはファイルプロセッサ２の異常が発生しているので、そのエラー警告を行って、この処理を終了する。
【００２５】
一方、ファイルプロセッサ２のＣＰＵ２１は、システムの立上げ後、他のデータ管理業務と並行して、特に、図６の流れ図に示すキャッシャ管理業務を実行するものとなっている。
すなわち、このキャッシャ管理業務が開始されると、ＣＰＵ２１は、先ず、ＳＴ１１としてキャッシャファイル５に設定されている各キャッシャの出勤フラグ及び稼働フラグをいずれも“０”にリセットする。次に、ＳＴ１２として各ＰＯＳターミナル１Ｍ，１Ｓ及び出退勤管理装置４からの伝文受信を待機する。
【００２６】
ここで、ＳＴ１３として出退勤管理装置４から送信される出勤情報伝文［図８（ａ）］を受信した場合には、ＳＴ１４としてキャッシャファイル５における受信伝文中のキャッシャ番号に対応する出勤フラグを、出勤状態を示す“１”にセットする。また、ＳＴ１５として出退勤管理装置４から送信される退勤情報伝文［図８（ｂ）］を受信した場合には、ＳＴ１６としてキャッシャファイル５における受信伝文中のキャッシャ番号に対応する出勤フラグを、退勤状態を示す“０”にリセットする。ここに、ＳＴ１３〜ＳＴ１６の各処理は出勤フラグ制御手段を構成する。
【００２７】
また、ＳＴ１７として各ＰＯＳターミナル１Ｍ，１Ｓから送信されるサインオン情報伝文［図８（ｃ）］を受信した場合には、ＳＴ１８としてキャッシャファイル５における受信伝文中のキャッシャ番号に対応する稼働フラグを、稼働状態を示す“１”にセットする。また、ＳＴ１９として各ＰＯＳターミナル１Ｍ，１Ｓから送信されるサインオフ情報伝文［図８（ｄ）］を受信した場合には、ＳＴ２０としてキャッシャファイル５における受信伝文中のキャッシャ番号に対応する稼働フラグを、非稼働状態を示す“０”にリセットする。ここに、ＳＴ１７〜ＳＴ２０の処理は稼働フラグ制御手段を構成する。
【００２８】
また、ＳＴ２１としてマスター機に設定されたＰＯＳターミナル１Ｍから送信されるキャッシャ稼働状態の問合わせ伝文［図８（ｅ）］を受信した場合には、図７に具体的に示す稼働状態チェック処理を実行する。
先ず、ＳＴ３１としてＲＡＭ２３の稼働可キャッシャテーブル２３ａ，アドレスカウンタＡ及び人数カウンタＢをそれぞれクリアする。次に、ＳＴ３２としてアドレスカウンタＡを１だけカウントアップした後、ＳＴ３３としてキャッシャファイル５からファイルアドレスＡＤＤ＝Ａのキャッシャ情報（キャッシャ番号，氏名，出勤フラグ，稼働フラグ，休憩開始時刻，休憩終了時刻）を読出す。ここで、キャッシャファイル５にファイルアドレスＡＤＤ＝Ａのキャッシャ情報が存在しその情報を読出すことができた場合には（ＳＴ３４のＹＥＳ）、ＳＴ３５としてその読出したキャッシャ情報中の出勤フラグを調べる。そして、出勤フラグが“１”にセットされている場合には、このキャッシャは出勤しているので、次に、ＳＴ３６として当該キャッシャ情報中の稼働フラグを調べる。そして、稼働フラグが“０”にリセットされている場合には、このキャッシャは非稼働状態なので、次に、ＳＴ３７として時計部２４にて計時されている現時刻が当該キャッシャ情報中の休憩開始時刻から休憩終了時刻までの時間帯に入っているか否かを判断する。そして入っていない場合には、このキャッシャは休憩時間外なので、ＳＴ３８として当該キャッシャ情報中のキャッシャ番号と氏名データとを稼働可キャッシャテーブル２３ａに書込む。また、ＳＴ３９として人数カウンタＢを１だけカウントアップする。その後、ＳＴ３２に戻る。
【００２９】
一方、ＳＴ３５にて出勤フラグが“０”にリセットされていた場合、またはＳＴ３６にて稼働フラグが“１”にセットされていた場合、あるいはＳＴ３７にて現時刻が休憩時間帯に入っている場合には、ＳＴ３８及びＳＴ３９の処理を行わないでＳＴ３２に戻る。
【００３０】
こうして、キャッシャファイル５からファイルアドレス順にキャッシャ情報を読出し、そのキャッシャ情報の出勤フラグチェック（ＳＴ３５），稼働フラグチェック（ＳＴ３６）及び休憩時間チェック（ＳＴ３７）を行って、出勤フラグが出勤状態でかつ稼働フラグが非稼働状態のキャッシャで尚かつ現時刻が休憩時間でないキャッシャを検出するとそのキャッシャのキャッシャ番号及び氏名データを稼働可キャッシャテーブル２３ａに書込む。また、人数カウンタＢを１ずつカウントアップする。
【００３１】
そして、キャッシャファイル５に格納された全キャッシャ情報について上記処理を終了すると、キャッシャファイル５のファイルアドレスＡＤＤ＝Ａにキャッシャ情報が存在しなくなるので（ＳＴ３４のＮＯ）、ＳＴ４０として稼働可キャッシャテーブル２３ａに書込まれたキャッシャ番号及び氏名データと人数カウンタＢにて計数された稼働可人数データとで図８（ｆ）に示すフォーマットの稼働状態応答伝文を編集する。そして、ＳＴ４１としてこの稼働状態応答伝文を伝送路３を介してマスター機に設定されたＰＯＳターミナル１Ｍに送信したならば、この稼働状態チェック処理を終了する。
ここに、ＳＴ３１〜ＳＴ３９の処理は稼働可キャッシャ検索手段を構成し、ＳＴ４０〜ＳＴ４１の処理はリスト出力手段を構成する。
【００３２】
このように構成された本実施の形態のＰＯＳシステムを導入したスーパーマーケットなどの店舗においては、予め、ファイルプロセッサ２に設けたキャッシャファイル５に各キャッシャのキャッシャ番号，氏名，１日の休憩時間（休憩開始時刻，休憩終了時刻）を設定しておく。
【００３３】
この状態で、各キャッシャは、店舗に出勤する際には、出勤モードが選択された出退勤管理装置４のカードリーダ４ａに自己のキャッシャ番号がＩＤコードとして登録されたＩＤカードを読取らせるようにする。こうすることにより、前記キャッシャファイル５において、出勤したキャッシャのキャッシャ番号に対応する出勤フラグが出勤状態を示す“１”にセットされる。
一方、店舗から退勤する際には、退勤モードが選択された出退勤管理装置４のカードリーダ４ａに自己のＩＤカードを読取らせるようにする。こうすることにより、前記キャッシャファイル５において、退勤したキャッシャのキャッシャ番号に対応する出勤フラグが退勤状態を示す“０”にリセットされる。
【００３４】
また、各キャッシャは、売場に設置されたＰＯＳターミナル１Ｍ，１Ｓを操作して客買上商品の売上登録業務を開始する際には、当該ＰＯＳターミナル１Ｍ，１Ｓの置数キーで自己のキャッシャ番号を置数するとともにサインオンキーＫ１を押下してサインオン宣言を行う。こうすることにより、当該ＰＯＳターミナル１Ｍ，１Ｓが起動するとともに、前記キャッシャファイル５において、サインオン宣言をしたキャッシャのキャッシャ番号に対応する稼働フラグが稼働状態を示す“１”にセットされる。
一方、客買上商品の売上登録業務を終了する際には、当該ＰＯＳターミナル１サインオフキーＫ２を押下してサインオフ宣言を行う。こうすることにより、当該ＰＯＳターミナル１Ｍ，１Ｓの稼働が停止するとともに、前記キャッシャファイル５において、サインオフ宣言をしたキャッシャのキャッシャ番号に対応する稼働フラグが非稼働状態を示す“０”にリセットされる。
【００３５】
また、例えば客の入りが予想より多くて会計場所が混雑してきた場合には、売場管理責任者は、マスター機に設定されたＰＯＳターミナル１Ｍのモードスイッチ１６を切換えてマスター業務を選択した後、キャッシャ稼働キーＫ３を押下する。そうすると、このＰＯＳターミナル１Ｍからファイルプロセッサ２にキャッシャ稼働状態の問合わせ伝文が送信される。
【００３６】
これにより、ファイルプロセッサ２においては、キャッシャファイル５が参照されて稼働状態チェック処理が行われる。そして、各キャッシャの中から出勤フラグが出勤状態でかつ稼働フラグが非稼働状態のキャッシャで尚かつ現時刻が休憩時間でないキャッシャが検索され、該当するキャッシャが検出されると、その人数と該当キャッシャのキャッシャ番号及び氏名の各データを含む稼働状態応答伝文がファイルプロセッサ２からマスター機に設定されたＰＯＳターミナル１Ｍに送信出力される。
【００３７】
これにより、ＰＯＳターミナル１Ｍにおいては、その応答伝文が解析されて、出勤フラグが出勤状態でかつ稼働フラグが非稼働状態のキャッシャで尚かつ現時刻が休憩時間でないキャッシャの人数と該当キャッシャの示す及びキャッシャ番号を記録した稼働可キャッシャリスト６がプリンタ１１６によりレシート用紙に印字されて排出される。したがって、売場管理責任者は、この稼働可キャッシャリスト６を確認することによって、現時点で補充が可能なキャッシャの人数及びそのキャッシャの氏名等を的確に把握できるようになる。
【００３８】
このように本実施の形態によれば、売場管理責任者がマスター機に設定されたＰＯＳターミナル１Ｍの業務モードをマスター業務としてからキャッシャ稼働キーＫ３を押下する簡単な操作を行うだけで、出勤しているキャッシャの中で現在稼働しておらず尚かつ休憩中でないキャッシャのリスト６を得られるので、キャッシャの補充を迅速かつ的確に行い得るようになる。
【００３９】
なお、前記実施の形態では、マスター機に設定されたＰＯＳターミナル１Ｍからのキャッシャ稼働状況問合わせ要求により稼働可キャッシャ検索手段を動作させ、稼働可キャッシャリスト６の出力データを同ＰＯＳターミナル１Ｍに送信出力して、同ＰＯＳターミナル１Ｍから印字出力させる場合を示したが、ファイルプロセッサ２にキーボードなどの入力部とディスプレイなどの表示部を設け、入力部からキャッシャ稼働状況問合わせ要求のコマンドを入力することにより、稼働可キャッシャ検索手段を動作させ、稼働可キャッシャリスト６の出力データを表示部に表示出力するように構成しても本発明と同等の効果を奏し得るものである。
【００４０】
【発明の効果】
以上詳述したように本願請求項１記載の発明によれば、出勤しているキャッシャの中で現在稼働していないキャッシャのリストを自動的に作成して出力でき、キャッシャの補充を迅速かつ的確に行い得るキャッシャ管理装置を提供できる。
また本願請求項２記載の発明によれば、出勤しているキャッシャの中で現在稼働しておらず尚かつ休憩中でないキャッシャのリストを自動的に作成して出力でき、キャッシャの補充を迅速かつより的確に行い得るキャッシャ管理装置を提供できる。
【図面の簡単な説明】
【図１】  本発明の一実施の形態であるＰＯＳシステムの全体図。
【図２】  同ＰＯＳシステムのファイルプロセッサが有するキャッシャファイルの構成図。
【図３】  同ＰＯＳシステムにおけるファイルプロセッサの要部構成を示すブロック図。
【図４】  同ＰＯＳシステムにおけるＰＯＳターミナルの要部構成を示すブロック図。
【図５】  同ＰＯＳターミナルのＣＰＵが実行するキャッシャ稼働キー処理を示す流れ図。
【図６】  同ファイルプロセッサのＣＰＵが実行するキャッシャ管理業務の処理を示す流れ図。
【図７】  図６の稼働状態チェック処理を具体的に示す流れ図。
【図８】  各種伝文のフォーマットを示す図。
【図９】  稼働可キャッシャリストの出力例を示す図。
【符号の説明】
１Ｍ，１Ｓ…ＰＯＳターミナル
２…ファイルプロセッサ
３…伝送路
４…出退勤管理装置
５…キャッシャファイル
【図１】
0003916323.tif 000002
【図２】
0003916323.tif 000003
【図３】
0003916323.tif 000004
【図４】
0003916323.tif 000005
【図５】
0003916323.tif 000006
【図６】
0003916323.tif 000007
【図７】
0003916323.tif 000008
【図８】
0003916323.tif 000009
【図９】
0003916323.tif 000010